(57)【要約】      （修正有）【課題】多方向定位が可能な多用途サポートフレームの提供。【解決手段】多方向定位が可能な多用途サポートフレームのサポートフレームはスタンドフレーム１０、スタンドフレーム１０頂端に嵌めて接続するソケット管２０、少なくとも１個のソケット管２０外側に枢接する第一サポートアーム３０、第一サポートアーム３０と相互に枢接する第二サポートアーム４０、及び第二サポートアーム４０外側に設置する固定板６０を有する。固定板６０にはファン、ライト等外付け器具を取り付けでき、多用途の目的を達成する。第一サポートアーム３０はソケット管２０に対して仰角を調整でき、第二サポートアーム４０は於第一サポートアーム３０に対して前後偏転角度を調整でき、サポートフレームは使用時にライトの光線或いはファンの送風方向と角度を多方向に調整できる。サポートフレームは移動運搬或いは未使用時には、外付け器具を取り外した後、サポートフレームを折り畳んで收納し、携帯体積を減らすことができる。【選択図】図２
0003203378.tif 000002
【実用新案登録請求の範囲】
【請求項１】
多方向定位が可能な多用途サポートフレームであって、前記サポートフレームは、スタンドフレーム、前記スタンドフレーム頂端に嵌めて接続するソケット管、前記ソケット管外側に枢接し仰角を調整可能な少なくとも１個の第一サポートアーム、前記第一サポートアームと相互に枢接し、しかも前後偏転角度を調整可能な第二サポートアーム、及び前記第二サポートアーム外側に設置し外付け器具を取り付け可能な固定板を有することを特徴とする多方向定位が可能な多用途サポートフレーム。
【請求項２】
前記第一サポートアームは、前記ソケット管側辺に重ねる基板、前記ソケット管側辺から基板まで通して設置され、これにより前記基板を前記ソケット管に対して偏転可能とする第一シャフト、及び前記基板上下両側からそれぞれ外へと延伸する第一枢接片を有することを特徴とする請求項１に記載の多方向定位が可能な多用途サポートフレーム。
【請求項３】
前記基板辺縁は、前記ソケット管背面に突出し、穿孔を設置し、
前記穿孔には、取り外し可能なように挿入ピンを設置し、前記挿入ピン端部は突出し、前記ソケット管背面に接触し、前記第一サポートアームの前記ソケット管に対する偏転を制限することを特徴とする請求項２に記載の多方向定位が可能な多用途サポートフレーム。
【請求項４】
前記第二サポートアームは、前記第一サポートアームに対して、２個の第二枢接片、及び第二シャフトをそれぞれ設置し、
前記第二シャフトは、前記各第一枢接片、前記第二枢接片を上下に貫通し、これにより前記第二サポートアームは、前記第二シャフトを軸心として、前記第一サポートアームに対して前後に偏転できることを特徴とする請求項２に記載の多方向定位が可能な多用途サポートフレーム。
【請求項５】
前記第二サポートアームの何れか１個の第二枢接片には、ネジ孔を設置し、前記ネジ孔中には、定位ピンを有するダイヤルを螺設し、
前記第一サポートアームは、前記ネジ孔下方に位置する第一枢接片に、弧形導引槽を設置し、前記ダイヤルの定位ピン底部は、前記ネジ孔を通過し、前記弧形導引槽中に突出し、しかも前記第二サポートアームが前記第一サポートアームに対して前後に偏転する時、前記ダイヤルの定位ピンは、前記弧形導引槽中で移動し、
前記第一サポートアームは、前記２個の第一枢接片の間に、位置限定片を設置し、前記位置限定片上には、前記弧形導引槽の両端に対応し、それぞれ位置限定孔を設置し、
前記ダイヤル底部は、前記弧形導引槽を通過し、前記位置限定片上方に位置し、しかも前記定位ピン底部は、何れか一つの位置限定孔に通された後、前記第二サポートアームの偏転を制限できることを特徴とする請求項４に記載の多方向定位が可能な多用途サポートフレーム。
【請求項６】
前記ダイヤルの定位ピン底部には、小挿入ピンを横方向に設置し、
前記小挿入ピンの長さは、前記弧形導引槽の幅より大きいことを特徴とする請求項５に記載の多方向定位が可能な多用途サポートフレーム。
【請求項７】
前記ソケット管底端には、前記スタンドフレーム上に取り外し可能なように固定されるプルクリートを設置することを特徴とする請求項１〜６の任意の一項に記載の多方向定位が可能な多用途サポートフレーム。
【請求項８】
前記ソケット管背面には、使用者が持ち上げるのに便利なハンドルを設置することを特徴とする請求項１〜６の任意の一項に記載の多方向定位が可能な多用途サポートフレーム。
【請求項９】
前記外付け器具は、ファン、ライトであることを特徴とする請求項１〜６の任意の一項に記載の多方向定位が可能な多用途サポートフレーム。
【請求項１０】
前記ソケット管外側には、３６０度を等分した位置に配列する第一サポートアームを枢設し、
前記各第一サポートアームには、前記第二サポートアーム、及び前記第二サポートアーム外側に設置し、前記外付け器具を取り付け可能な固定板を枢接することを特徴とする請求項１〜６の任意の一項に記載の多方向定位が可能な多用途サポートフレーム。
【考案の詳細な説明】
【技術分野】
【０００１】
本考案は多方向定位が可能な多用途サポートフレームに関し、特にサポートフレームにはファン、ライト等外付け器具を取り付けでき、しかもサポートフレームは使用時にライトの光線或いはファンの送風方向と角度を多方向に調整でき、未使用時には折り畳んで収納でき、携帯体積を減らせる多方向定位が可能な多用途サポートフレームに関する。
【背景技術】
【０００２】
従来の三脚サポートフレームは、３本のポスト体からなる。３本のポスト体頂端は中軸上に枢接し、底端は地面に接触して三角サポートを形成する。これにより、サポートフレーム頂端に取り付けられる器具は、堅固に地面上に直立でき、該各器具の使用時における揺れや倒れを回避することができる。大型ビデオカメラ、望遠鏡、工業用ファン、測量機器、夜間施工のスポットライト等はどれも通常三脚サポートフレームを使用する器具である。
【０００３】
上述の従来の三角サポートフレームは使用時に、通常は該各器具の使用角度を調整する必要がある。例えば、夜間施工時には、スポットライトは光線照射の角度と位置を随時調整しなければ、効果的に照明を提供することはできない。但し、従来の三角サポートフレームは、取付け器具毎にそれぞれ専用の転向調整構造を設計するため、業者の設備コストは大幅に上がってしまう。よって、本考案は、様々な外付け器具に使用でき、しかも便利に角度を調整できるサポートフレームを提供する。
【０００４】
従来の三脚サポートフレームは未使用時には、３本のポスト体を一つにまとめることができるが、もし角度を便利に調整でき、しかも異なる外付け器具に取付けて使用する際に、折り畳み収納上の設計は克服しなければならない問題となる。特に、三脚サポートフレームの利用価値を高め、機構設計に多組の外付け器具を取付ける際には、折り畳み収納上の機構設計は、より考慮が必要である。
【考案の概要】
【考案が解決しようとする課題】
【０００５】
前記先行技術には、取付け器具毎にそれぞれ専用の転向調整構造を設計するため、業者の設備コストが拡大する欠点がある。
【課題を解決するための手段】
【０００６】
本考案は、少なくとも１個の外付け器具を取り付け、しかも多方向回転構造を設置し、外付け器具を取付ける時多方向に角度を調整でき、外付け器具を未取り付け時には折り畳んで収納でき、携帯体積を減らせる多方向定位が可能な多用途サポートフレームに関する。
【０００７】
本考案による多方向定位が可能な多用途サポートフレームのサポートフレームは、スタンドフレーム、該スタンドフレーム頂端に嵌めて接続するソケット管、該ソケット管外側に枢接し仰角を調整可能な少なくとも１個の第一サポートアーム、該第一サポートアームと相互に枢接し、しかも前後偏転角度を調整可能な第二サポートアーム、及び該第二サポートアーム外側に設置し外付け器具を取り付け可能な固定板を有する。
【０００８】
本考案による多方向定位が可能な多用途サポートフレームは、上述の構造により、該外付け器具を該固定板上に取付けた後、該第一サポートアーム、該第二サポートアームを通して仰角と前後偏転角度を調整でき、外付け器具は使用においてよりフレキシブルに便利となり、しかもサポートフレームに外付け器具を未取り付け時には、該第一サポートアーム、該第二サポートアームを折り畳んで収納でき、携帯体積を減らすことができる。
【０００９】
本考案による多方向定位が可能な多用途サポートフレームの実施時には、該第一サポートアームは、該ソケット管側辺に重ねる基板、該ソケット管側辺から該基板まで通して設置され、これにより該基板を該ソケット管に対して偏転可能とする第一シャフト、及び該基板上下両側からそれぞれ外へと延伸する第一枢接片からなる。該基板と該２個の第一枢接片とは、Ｕ字型を形成する。
【００１０】
本考案による多方向定位が可能な多用途サポートフレームの実施時には、該基板辺縁は、該ソケット管背面に突出し、穿孔を設置する。該穿孔には、取り外し可能なように挿入ピンを設置する。挿入ピン端部は突出し、該ソケット管背面に接触し、該第一サポートアームの該ソケット管に対する偏転を制限する。使用者が該挿入ピンを該穿孔中から抜き取ると、該第一サポートアームの仰角を任意に調整可能となる。
【００１１】
本考案による多方向定位が可能な多用途サポートフレームの実施時には、該第二サポートアームは、該第一サポートアームに対して、２個の第二枢接片、及び第二シャフトをそれぞれ設置する。該第二シャフトは、該各第一枢接片、該第二枢接片を上下に貫通し、これにより該第二サポートアームは、該第二シャフトを軸心として、該第一サポートアームに対して前後に偏転できる。
【００１２】
本考案による多方向定位が可能な多用途サポートフレームの実施時には、該第二サポートアームの何れか１個の第二枢接片には、ネジ孔を設置し、該ネジ孔中には、定位ピンを有するダイヤルを螺設する。該第一サポートアームは、該ネジ孔下方に位置する第一枢接片に、弧形導引槽を設置する。該ダイヤルの定位ピン底部は、該ネジ孔を通過し、該弧形導引槽中に突出し、しかも該第二サポートアームが該第一サポートアームに対して前後に偏転する時、該ダイヤルの定位ピンは、該弧形導引槽中で移動する。該第一サポートアームは、該２個の第一枢接片の間に、位置限定片を設置する。該位置限定片上には、該弧形導引槽の両端に対応し、それぞれ位置限定孔を設置する。該ダイヤルの定位ピン底部は、該弧形導引槽を通過し、該位置限定片上方に位置し、しかも該定位ピン底部は、何れか一つの位置限定孔に通された後、該第二サポートアームの偏転を制限できる。
【００１３】
本考案による多方向定位が可能な多用途サポートフレームの実施時には、該ダイヤルの定位ピン底部には、小挿入ピンを横方向に設置する。該小挿入ピンの長さは、該弧形導引槽の幅より大きいため、該ダイヤルの、該弧形導引槽からの離脱を回避できる。
【００１４】
本考案による多方向定位が可能な多用途サポートフレームの実施時には、該ソケット管底端には、該スタンドフレーム上に取り外し可能なように固定されるプルクリートを設置し、これにより該ソケット管は、該スタンドフレーム上に迅速に定位され、また該スタンドフレーム上から迅速に取り外される。
【００１５】
本考案による多方向定位が可能な多用途サポートフレームの実施時には、該ソケット管背面に、使用者が持ち上げるのに便利なハンドルを設置する。
【００１６】
本考案による多方向定位が可能な多用途サポートフレームの実施時には、該外付け器具は、ファン、ライトで、該ファン或いはライトを該固定板上に取付け後は、使用者の必要に応じて、ライトの光線或いはファンの送風方向と角度を多方向に調整できる。
【００１７】
本考案による多方向定位が可能な多用途サポートフレームの実施時には、該ソケット管外側には、３６０度を等分した位置に配列する第一サポートアームを枢設し、該各第一サポートアームには、該第二サポートアーム、及び該第二サポートアーム外側に設置し、該外付け器具を取り付け可能な固定板を枢接する。
【考案の効果】
【００１８】
本考案による多方向定位が可能な多用途サポートフレームは、少なくとも１個の外付け器具を取り付けでき、しかもサポートフレームのソケット管、第一サポートアームと第二サポートアームとの間は相互に枢転と定位が可能で、外付け器具はサポートフレーム上に取付けられると、多方向に角度を調整でき、サポートフレームに外付け器具を未取り付け時には、折り畳んで収納でき、携帯体積を減らすことができる。
【図面の簡単な説明】
【００１９】
【図１】本考案の使用状態模式図である。
【図２】本考案の立体分解図である。
【図３】本考案の第一サポートアーム、第二サポートアームの局部立体分解図である。
【図４】本考案の第一サポートアームの未偏転時の模式図である。
【図５】本考案の第一サポートアームがソケット管に対して偏転する様子を示す模式図（一）である。
【図６】本考案の第一サポートアームがソケット管に対して偏転する様子を示す模式図（二）である。
【図７】本考案の第二サポートアームの未偏転時の立体図である。
【図８】本考案の第二サポートアームが第一サポートアームに対して偏転する様子を示す立体図（一）である。
【図９】本考案の第二サポートアームが第一サポートアームに対して偏転する様子を示す立体図（二）である。
【図１０】本考案の第二サポートアームが第一サポートアームに対して偏転する様子を示す俯視図である。
【考案を実施するための形態】
【００２０】
以下に図面を参照しながら本考案を実施するための最良の形態について詳細に説明する。
【実施例】
【００２１】
図１〜図３に示す通り、本考案による多方向定位が可能な多用途サポートフレームにおいて、サポートフレームは、スタンドフレーム１０、スタンドフレーム１０頂端に嵌めて接続するソケット管２０、ソケット管２０外側に枢接し仰角を調整可能な少なくとも１個の第一サポートアーム３０、第一サポートアーム３０と相互に枢接し、しかも前後偏転角度を調整可能な第二サポートアーム４０、第二サポートアーム４０外側に設置し外付け器具５０を取り付け可能な固定板６０を有する。
【００２２】
ソケット管２０外側には、多数の第一サポートアーム３０を枢接する。多数の第一サポートアーム３０は、等分３６０度の位置を呈して配列し、多用途サポートフレームのバランスを維持する。図示において、サポートフレーム上には、２個の第一サポートアーム３０、第二サポートアーム４０を設置し、これにより複数の外付け器具５０を取付けできる。外付け器具５０は、ファン、ライト等である。
【００２３】
第一サポートアーム３０は、ソケット管２０側辺に重ねる基板３１、ソケット管２０側辺から基板３１まで通して設置され、これにより基板３１をソケット管２０に対して偏転可能とする第一シャフト３２、及び基板３１上下両側からそれぞれ外へと延伸する第一枢接片３３からなる。基板３１と２個の第一枢接片３３とは、Ｕ字形を形成する。
【００２４】
第二サポートアーム４０は、第一サポートアーム３０に対して、２個の第二枢接片４１、及び第二シャフト４２をそれぞれ設置する。第二シャフト４２は、各第一枢接片３３、第二枢接片４１を上下に貫通し、これにより第二サポートアーム４０は、第二シャフト４２を軸心として、第一サポートアーム３０に対して前後に偏転できる。
【００２５】
図４〜図６に示す通り、第一サポートアーム３０の実施時には、基板３１辺縁は、ソケット管２０背面に突出し、穿孔３１１を設置する。穿孔３１１には、取り外し可能なように挿入ピン７０を設置する。
挿入ピン７０端部は突出し、ソケット管２０背面に接触する。図６に示す通り、使用者が挿入ピン７０を穿孔３１１中から抜き取った後は、第一サポートアーム３０の仰角を任意に調整可能となる。
【００２６】
図２、図７、図８に示す通り、第二サポートアーム４０と第一サポートアーム３０との間には、偏転角度を固定する構造をさらに設置する。図に示す通り、第二サポートアーム４０の何れか１個の第二枢接片４１には、ネジ孔４１１を設置する。ネジ孔４１１中には、定位ピン８１を有するダイヤル８０を螺設する。第一サポートアーム３０は、ネジ孔４１１下方に位置する第一枢接片３３に、弧形導引槽３３１を設置する。ダイヤル８０の定位ピン８１底部は、ネジ孔４１１を通過し、弧形導引槽３３１中に突出する。しかも、第二サポートアーム４０が第一サポートアーム３０に対して前後に偏転する時、ダイヤル８０の定位ピン８１は、弧形導引槽３３１中で移動する。
【００２７】
図７〜図１０に示す通り、第一サポートアーム３０は、２個の第一枢接片３３の間に、位置限定片３４を設置する。位置限定片３４上には、弧形導引槽３３１の両端に対応し、それぞれ位置限定孔３４１を設置する。ダイヤル８０の定位ピン８１底部は、弧形導引槽３３１を通過し、位置限定片３４上方に位置する。しかも、定位ピン８１がダイヤル８０の回転により、その底部が何れか一つの位置限定孔３４１に入ると、第二サポートアーム４０の偏転を制限できる。第二サポートアーム４０を偏転させたい時には、ダイヤル８０を回して定位ピン８１を位置限定孔３４１から離脱させれば、第二サポートアーム４０を偏転させられる。
【００２８】
図８に示す通り、ダイヤル８０の定位ピン８１底部には、小挿入ピン８２を横方向に設置する。小挿入ピン８２の長さは、弧形導引槽３３１の幅より大きいため、ダイヤル８０の弧形導引槽３３１からの離脱を回避できる。
【００２９】
図１、図２に示す通り、上述の構造により、ファン或いはライト等外付け器具５０を固定板６０上に取付けた後、使用者は必要に応じて、第一サポートアーム３０、第二サポートアーム４０を通して、ライトの光線或いはファン送風の方向と角度を多方向に調整でき、及び挿入ピン７０、ダイヤル８０を利用し、第一サポートアーム３０、第二サポートアーム４０の偏転後の位置を固定し、これにより外付け器具５０の使用時に、第一サポートアーム３０、第二サポートアーム４０が突然緩んで偏転することを回避できる。サポートフレームに外付け器具５０を取り付けていない時には、第一サポートアーム３０、第二サポートアーム４０は折り畳んで収納でき、携帯体積を減らすことができる。
【００３０】
ソケット管２０の実施時には、背面に、使用者が持ち上げるのに便利なハンドル２１を設置する。さらに、ソケット管２０底端には、スタンドフレーム１０上に取り外し可能なように固定されるプルクリート２２を設置し、これによりソケット管２０は、スタンドフレーム１０上に迅速に定位され、またスタンドフレーム１０上から迅速に取り外される。
【００３１】
前述した本考案の実施形態は本考案を限定するものではなく、よって、本考案により保護される範囲は後述される実用新案登録請求の範囲を基準とする。
【符号の説明】
【００３２】
１０  スタンドフレーム
２０  ソケット管
２１  ハンドル
２２  プルクリート
３０  第一サポートアーム
３１  基板
３１１  穿孔
３２  第一シャフト
３３  第一枢接片
３３１  弧形導引槽
３４  位置限定片
３４１  位置限定孔
４０  第二サポートアーム
４１  第二枢接片
４１１  ネジ孔
４２  第二シャフト
５０  外付け器具
６０  固定板
７０  挿入ピン
８０  ダイヤル
８１  定位ピン
８２  小挿入ピン
【図１】
0003203378.tif 000003
【図２】
0003203378.tif 000004
【図３】
0003203378.tif 000005
【図４】
0003203378.tif 000006
【図５】
0003203378.tif 000007
【図６】
0003203378.tif 000008
【図７】
0003203378.tif 000009
【図８】
0003203378.tif 000010
【図９】
0003203378.tif 000011
【図１０】
0003203378.tif 000012